(57)【要約】【課題】光を利用した多種多様な加飾が得られるようにして、特徴的で固有の雰囲気を醸し出させる美的もしくは斬新で新奇な装飾効果を生じさせることができる収納ケースを提供する。【解決手段】内容物Ｃとして、液状物や粉状物、クリーム状物を収納するケース本体２を備えた収納ケース１において、ケース本体２に外装体３を設け、外装体３に光源装置４を設けるとともに、外装体３全体を光透過部として形成した。ケース本体２もその全体を、光源装置４の光を透過させる光透過部として形成した。光源装置４は、ＲＧＢ光源１１と、ＲＧＢ光源１１の発光をコントロールするコントローラを実装した電子基板１２と、これらコントローラおよびＲＧＢ光源１１に電力を供給するバッテリ１３とから構成した。【選択図】          図２
2004338749.tif 000002
【特許請求の範囲】
【請求項１】
内容物として、液状物や粉状物、クリーム状物を収納するケース本体を備えた収納ケースにおいて、上記ケース本体に外装体を設け、該外装体に光源装置を設けるとともに、上記外装体に、上記光源装置の光を透過させる光透過部を形成したことを特徴とする収納ケース。
【請求項２】
前記ケース本体に、前記光源装置の光を透過させる光透過部を形成したことを特徴とする請求項１に記載の収納ケース。
【請求項３】
前記外装体に代えて前記ケース本体に、前記光源装置の光を透過させる光透過部を形成したことを特徴とする請求項１に記載の収納ケース。
【請求項４】
前記光源装置は、光源と、該光源の発光をコントロールするコントローラと、これらコントローラおよび光源に電力を供給するバッテリとからなることを特徴とする請求項１〜３いずれかの項に記載の収納ケース。
【発明の詳細な説明】
【０００１】
【発明の属する技術分野】
本発明は、光を利用した多種多様な加飾が得られるようにして、特徴的で固有の雰囲気を醸し出させる美的もしくは斬新で新奇な装飾効果を生じさせることができる収納ケースに関する。
【０００２】
【従来の技術】
従来、例えば特許文献１および２に示されているように、内容物として、液状物や粉状物、クリーム状物を収納するケース本体に、そのデザイン性を高めるために、従来からさまざまな方法によって加飾が施されている。例えば、ケース本体の素材として、色つきのガラス瓶を用いたり、模様などを印刷したラミネートチューブを用いたり、またその表面処理のために、塗装をしたり、スパッタリングなどの方法を適用したり、あるいはプレート材や転写シートを用いて平面的あるいは立体的に文字や模様などを施したり、さらには別途作成した外装体を被せるなどして、ケース本体の表面に各種の装飾を施すようにしていた。
【０００３】
なお、本願出願人は、関連する先行出願として、特願２００２−２２１１８９号および特願２００３−１１６２８９号を出願している。
【０００４】
【特許文献１】
実開昭４８−２６１４９号公報
【特許文献２】
特開２００２−２７４２号公報
【０００５】
【発明が解決しようとする課題】
上記従来の技術で得られる加飾はいずれも、既にありきたりなものであり、装飾を施すという技術面から見ると、限界があった。
【０００６】
ここに本発明者は、上述したようなこれまでの加飾技術では考えられていなかった、光源からの光を利用することに着目し、光によって加飾を行うことによって、収納ケースに、今まで見たことのない美的装飾効果を与え得るとの知見を得て、本発明を完成するに至ったものである。
【０００７】
本発明は上記従来の課題に鑑みて創案されたものであって、光を利用した多種多様な加飾が得られるようにして、特徴的で固有の雰囲気を醸し出させる美的もしくは斬新で新奇な装飾効果を生じさせることができる収納ケースを提供することを目的とする。
【０００８】
【課題を解決するための手段】
本発明にかかる収納ケースは、内容物として、液状物や粉状物、クリーム状物を収納するケース本体を備えた収納ケースにおいて、上記ケース本体に外装体を設け、該外装体に光源装置を設けるとともに、上記外装体に、上記光源装置の光を透過させる光透過部を形成したことを特徴とする。
【０００９】
外装体に設けた光源装置からの光を、これに形成した光透過部から外方へ透過させて、光透過部やその周辺が照らし出されるようにしていて、光透過部によって外装体の表面に、光を利用した多種多様な加飾を得ることが可能になり、収納ケースに、特徴的で固有の雰囲気を醸し出させる美的もしくは斬新で新奇な装飾効果を生じさせ得る。
【００１０】
また、前記ケース本体に、前記光源装置の光を透過させる光透過部を形成したことを特徴とする。光源装置からの光を、ケース本体に形成した光透過部から外方へ透過させて、光透過部やその周辺が照らし出されるようにしていて、光透過部によって外装体のみならずケース本体の表面にも、光を利用した多種多様な加飾を得ることが可能になり、収納ケースに、光を利用した演出効果を得ることが可能になる。
【００１１】
他方、前記外装体に代えて前記ケース本体に、前記光源装置の光を透過させる光透過部を形成したことを特徴とする。外装体に代えてケース本体に形成した光透過部を介して、光源装置からの光を外方へ透過させて、光透過部やその周辺が照らし出されるようにしていて、光透過部によってケース本体の表面に、光を利用した多種多様な加飾を得ることが可能になり、収納ケースに、特徴的で固有の雰囲気を醸し出させる美的もしくは斬新で新奇な装飾効果を生じさせ得る。
【００１２】
また、前記光源装置は、光源と、該光源の発光をコントロールするコントローラと、これらコントローラおよび光源に電力を供給するバッテリとからなることを特徴とする。コントローラで光源の発光をコントロールするようにしていて、これにより視覚的に訴える、光による多種多様な演出効果が得られ、収納ケースに、特徴的で固有の雰囲気を醸し出させる美的もしくは斬新で新奇な装飾を施すことが可能となる。
【００１３】
【発明の実施の形態】
以下に、本発明にかかる収納ケースの好適な実施形態を、添付図面を参照して詳細に説明する。第１の実施形態にかかる収納ケース１は図１および図２に示すように、内容物Ｃとして、液状物や粉状物、クリーム状物を収納するガラス製もしくは合成樹脂製などの円筒体状のケース本体２と、このケース本体２の下方部分に着脱自在に装着される外装体３と、この外装体３に設けられる光源装置４とから主に構成される。ケース本体２は、ネジ式のキャップ５で開閉され、キャップ５を取り外すことにより内容物Ｃを取り出すことができるようになっている。
【００１４】
外装体３は、接地面に置く際の座になるとともに、ケース本体２の下方部分を取り囲んで覆いとなる中空円錐台形状の台座６と、この台座６の高さ方向ほぼ中央部に、これよりその内方へ張り出して設けられ、ケース本体２の底部２ａを載せるための環状の支持部７と、この支持部７の内周縁から垂下された周壁部８およびこの周壁部８下端から内方へ突出された環状フランジ部９からなり、ケース本体２の底部２ａとの間に相当の空間部Ｓを区画形成する収納部１０とが一体成形されて形成される。そしてケース本体２は、その底部２ａが支持部７に当接するまで台座６内に挿入されることで、外装体３に取り付けられ、これにより収納ケース１が構成されるようになっている。
【００１５】
そして本実施形態にあっては、外装体３の収納部１０に組み付けて、光源装置４が設けられる。光源装置４は、ケース本体２の底部２ａと収納部１０との間の空間部Ｓ内に配置されるＲＧＢ光源１１と、このＲＧＢ光源１１の各色の発光量をコントロールするコントローラを構成する電子部品が実装された電子基板１２と、これら電子基板１２およびこれを介してＲＧＢ光源１１に電力を供給するボタン型電池などのバッテリ１３とから構成される。ＲＧＢ光源１１は電子基板１２上に直接実装されている。図示例にあっては、バッテリ１３は、環状フランジ部９の下面から鉤状に突出された係止爪１４によって、収納部１０に対し着脱自在に保持される。また外装体３の台座６内には、係止爪１４と台座６との隙間に位置させて、光源装置４をオン・オフするためのスイッチ１５が配設されている。
【００１６】
ＲＧＢ光源１１としては、ＬＥＤや有機エレクトロルミネセンス（ＥＬ）素子など、従来知られている各種のものを採用することができる。コントローラを構成する電子部品には、ＲＧＢ光源１１の発光をコントロールするプログラミングが書き込まれたＩＣチップ等の制御素子が含まれ、スイッチ１５によってバッテリ１３から電力が供給されることにより、プログラミングに従ってＲＧＢ光源１１を発光させる。
【００１７】
ＲＧＢ光源１１の発光のさせ方としては、例えば全体の発光量を増減させてゆっくりと明滅させながら、この明滅の間に、赤、緑および青の発光割合を順次変化させてさまざまな色合いで発光させたり、あるいは短い時間間隔で明滅させながらそのたびにさまざまな色に変えて発色させるなど、どのようなプログラミングを制御素子に格納してもよい。光源としては、ＲＧＢ光源１１に限らず、単色光の光源であってもよいことはもちろんである。
【００１８】
そして特に、外装体３には、ＲＧＢ光源１１の光を透過させる光透過部が形成される。本実施形態にあっては、外装体３全体が、無色もしくは有色の、透明あるいは半透明の合成樹脂材やガラス材、クリスタル材などの透光性の素材で形成されて、当該外装体３全体が光透過部として形成される。そして外装体３は、ＲＧＢ光源１１からの光を空間部Ｓ内から外方へと照射させて、その全体が当該光によって照らし出されるようになっている。また、本実施形態にあってはケース本体２も、外装体３と同様に、その全体が透光性の素材で形成されて光透過部として形成され、ＲＧＢ光源１１の光がケース本体２を透過して当該ケース本体２自体も、そしてまた内容物Ｃが透光性である場合には、この内容物Ｃをも照らし出すようになっている。
【００１９】
次に、上記構成を備える本実施形態の収納ケース１の作用について説明する。スイッチ１５をオンすると、バッテリ１３からＲＧＢ光源１１や電子基板１２に電力が供給され、ＲＧＢ光源１１は、制御素子に書き込まれたプログラミングに従って、明滅などしながら多種多様な色合いや明るさで発光する。このＲＧＢ光源１１の光は、光透過部としての外装体３全体から外部へ向かって照射され、台座６などの外装体３表面全体を様々な態様で照らし出す。また、ケース本体２を透過するＲＧＢ光源１１の光によって、当該ケース本体２や内容物Ｃも様々な態様で照らし出される。スイッチ１５を切ると、ＲＧＢ光源１１は消灯される。
【００２０】
このように以上説明した本実施形態にかかる収納ケース１にあっては、外装体３に設けた光源装置４からの光が、その全体を透光性素材で形成した外装体３内方から外方へ透過されて、外装体３の表面全体が照らし出されるようになっている。これにより、外装体３の表面に、光を利用した多種多様な加飾を得ることができ、収納ケース１に、特徴的で固有の雰囲気を醸し出させる美的もしくは斬新で新奇な装飾効果を生じさせることができる。
【００２１】
また、ケース本体２もその全体を透光性素材で形成して、これにより光透過部が形成されるようにしていて、光源装置４の光がケース本体２自体を透過してこれを照らし出し、また内容物Ｃも照らし出すようになっている。これにより、外装体３のみならずケース本体２にも、光を利用した多種多様な加飾を施すことができ、収納ケース１に、光を利用した演出効果を得ることができる。
【００２２】
さらに、光源装置４を、ＲＧＢ光源１１と、ＲＧＢ光源１１の発光をコントロールするコントローラを搭載した電子基板１２と、これら電子基板１２およびＲＧＢ光源１１に電力を供給するバッテリ１３とから構成し、コントローラでＲＧＢ光源１１の発光をコントロールするようにしたので、これにより視覚的に訴える、光による多種多様な演出効果を得ることができ、収納ケース１に、特徴的で固有の雰囲気を醸し出させる美的もしくは斬新で新奇な装飾を施すことができる。
【００２３】
上記実施形態にあっては、ケース本体２にも光透過部を形成するようにその全体を透光性素材で形成するようにしたが、これに代えてその全体を遮光性の素材で形成してもよいことはもちろんである。
【００２４】
図３および図４には、第２の実施形態が示されている。この実施形態は、ケース本体２全体を、窓部１６を有する外装体３で覆うようにしたものである。図示例にあっては、ケース本体２がほぼ直方体状に形成されるとともに、外装体３もこれを包囲するほぼ直方体状に形成されている。具体的には外装体３は、ケース本体２の注出首部１７が貫通される開口部１８が上面に形成されるとともに、下面が開放され、さらに側面にケース本体２を露出させる上記窓部１６が形成されたカバー体１９と、このカバー体１９にこれとの間に設けた係脱機構２０を介して着脱自在に取り付けられ、当該カバー体１９の下面を封鎖する封止部材２１とから２部品で構成される。
【００２５】
封止部材２１は主に、ケース本体２の底部２ａを係止して支持する環状周壁部２２と、この環状周壁部２２の高さ方向ほぼ中央部から内方へ向けて突出され、ケース本体２の底部２ａとの間に空間部Ｓを形成する環状フランジ部２３とが一体成形されて形成される。光源装置４は、環状フランジ部２３に組み付けることにより、外装体３に設けられる。そして光源装置４のＲＧＢ光源１１は、ケース本体２の底部２ａと環状フランジ部２３との間の空間部Ｓ内に配置される。またスイッチ１５は、環状フランジ部２３の下面に取り付けられる。
【００２６】
そしてこの第２の実施形態にあっても、外装体３全体およびケース本体２が、無色もしくは有色の、透明あるいは半透明の合成樹脂材やガラス材、クリスタル材などの透光性素材で形成される。このような第２の実施形態にあっても、第１の実施形態と同様な作用・効果を奏することができる。
【００２７】
他方、上記いずれの実施形態にあっても、ケース本体２を透光性素材で形成する一方で、外装体３を遮光性の素材で形成するようにしてもよい。第１の実施形態であれば、外装体３から露出されたケース本体２の上方部分が、ＲＧＢ光源１１からの光で照らし出される外観が得られる。また、第２の実施形態の場合には、ケース本体２のうち、窓部１６から露出されている部分がＲＧＢ光源１１の光によって照らし出される外観が得られる。すなわち、外装体３を遮光性素材で形成することにより、透光性素材で形成した場合とはまた異なる外観を得ることができる。このような変形例であっても、上記実施形態と同様の作用・効果が得られることはもちろんである。
【００２８】
さらに、上記いずれの実施形態にあっても、外装体３あるいはケース本体２を、その全体を透光性素材で形成して、全体が照らし出されるようにした場合について説明したが、光透過部を、これら外装体３等に部分的に形成するようにしてもよいことはもちろんである。
【００２９】
光透過部を部分的に形成する場合は、その他の部分が光源装置４からの光を遮るように構成すればよく、例えば、部分的に打ち抜き部などを形成した不透明のシート材や樹脂成形部品などの遮光性マスクを、外装体３やケース本体２にインサート成形したり、取り付けるようにすれば、これにより当該遮光性マスクの打ち抜き部によって上記窓部１６のように、部分的な光透過部を形成することができる。遮光性マスクについては、不透明塗料を外装体３等に部分的に塗装することによっても形成することができる。遮光性マスクについてはさらにまた、デザインに従って打ち抜いた金属板の装着や、スパッタリングなどの方法によってもよいことはもちろんである。
【００３０】
また他方、外装体３やケース本体２を全体的に遮光性の合成樹脂材で形成する一方で、これら外装体３等に対して、無色もしくは有色の、透明あるいは半透明の合成樹脂材やガラス材、クリスタル材などの透光性ピースを別部品として組み込むことでも、光透過部を部分的に形成することができる。この場合にも、インサート成形を利用すれば、当該透光性ピースを簡単に合成樹脂製の外装体３等に設けることができる。
【００３１】
このように部分的に光透過部を形成するようにすれば、文字やマーク、そのほか所望のデザインに従って任意形状の各種形態の光透過部を外装体３等に形成できることとなり、さらに優れた装飾効果を得ることができる。
【００３２】
【発明の効果】
以上要するに、本発明にかかる収納ケースにあっては、光を利用した多種多様な加飾が得られるようにして、特徴的で固有の雰囲気を醸し出させる美的もしくは斬新で新奇な装飾効果を生じさせることができる。
【図面の簡単な説明】
【図１】本発明にかかる収納ケースの第１の実施形態を示す斜視図である。
【図２】図１に示した収納ケースの側断面図である。
【図３】本発明にかかる収納ケースの第２の実施形態を示す斜視図である。
【図４】図３に示した収納ケースの側断面図である。
【符号の説明】
１  収納ケース                      ２  ケース本体
３  外装体                          ４  光源装置
１１  ＲＧＢ光源                    １２  電子基板
１３  バッテリ                      Ｃ  内容物
【図１】
2004338749.tif 000003
【図２】
2004338749.tif 000004
【図３】
2004338749.tif 000005
【図４】
2004338749.tif 000006